(57)【要約】      （修正有）【課題】表面が粘着性のシートロールを用いた粘着式クリーナーにおいて、容易に切除することができ、さらに不快を感じることなく簡単に行える粘着式クリーナーを提供する。【解決手段】表面を粘着性とし、裏面を非粘着性とした粘着シートを巻き取ったローラーが中心軸の回りに回転自在に支持され、粘着シートに対して横断するように延びた刃先を具備したカッター部材を有する。【選択図】図１
0003175455.tif 000002
【実用新案登録請求の範囲】
【請求項１】
カッター機能を備えた粘着式クリーナーであって、前記カッター機能を粘着シートの表面に押し付けて破断した後、カッター部材を粘着シートから離すと、前記カッター部材の先端に粘着シートが付着して前記粘着シートロールから引き離れ、次にカッター部材を再度ロール表面に押し付けるとロールに残ったシートの先端が折り返されて非粘着性の裏面が現れることを特徴とする粘着式クリーナー。
【考案の詳細な説明】
【技術分野】
【０００１】  本考案は、カーペット等の清掃に適した粘着式クリーナーに関するものである。
【背景技術】
【０００２】  円筒状に巻いた粘着シートロールを有する粘着式クリーナーは知られている。この粘着式クリーナーは、棒状の持ち手を備えたロールを転がして、粘着性の利点を活かして付着したゴミ等を粘着除去するものである。さらに吸引式清掃具のように電力を使わない清掃用品として価格も安く経済的である。
【先行技術文献】
【特許文献】
【０００３】
【特許文献１】実用新案登録第３１４５０９８号
【考案の概要】
【考案が解決しようとする課題】
【０００４】  粘着性シートを切断する場合にはロールの部分を手で押さえる必要がある。その場合粘着の強い部分を指で持たなくてはならないので大変煩わしい。できれば短時間で手を汚さす作業することが望ましい。そこで実用新案登録第３１４５０９８号には、粘着シートロールを容易に切除出来るよう鋸歯状の歯先を有する粘着テープ切断用の歯体を備えてなる清掃具が開示されている。歯体により、剥がしたいシートは確実に切れるが粘着ローラから１巻分の粘着シートを引き出して、歯体側に回り込ませた状態で切除するもので必ずしも容易に切り離せるとは言いがたいものである。【０００５】  本考案は、このような粘着式クリーナーにおいて粘着シートを極めて容易に切断することができ、さらに使用者が煩わしさや不快を感じることなくその作業を行なうことができる粘着式クリーナーを提供することを目的としている。
【課題を解決するための手段】
【０００６】  解決するための手段として、粘着シートロール５に対してカッター部材４が当たるように、柄１の先端部にカッター部材４を取り付ける。カッター部材４は使用する場合のみに粘着シートロール５に当たれば良いのでのスライド式とする。カッター部材４を動かす為のカッター操作ボタン２及びカッター操作レバー３を柄１に取り付ける。【０００７】  カッター部材４の先端の形状は、直線状とされるのが望ましいが粘着テープカッターのように鋸刃状としてもよい。【０００８】  さらに本考案では、カッター操作ボタン２を押してカッター部材４を粘着シートロール５の表面に押し付けて切除した後、カッター操作レバー３を持ち手側に引いてカッター部材４を粘着シートロール５から引き離すとカッター部材４の先端に粘着シート先端部５ａが１ｃｍ程度付着した状態で粘着シートロール５から離れる。次に再度カッター操作ボタン２を押してカッター部材４を粘着シートロール５表面に押し付けると１ｃｍ程度シートの先端部５ａが折り返されて折り返された非粘着性裏面５ｂが現れる。【０００９】  粘着シート先端部５ａを折り返して指で端々までなぞると、折り返された非粘着性裏面５ｂは粘着面同士が接触するので固定される。したがって、折り返された非粘着性裏面５ｂを除いてゴミ等が付着する。【００１０】  折り返された非粘着性裏面５ｂにはゴミが付着しない。使用後は他の面にはゴミが付着した状態になるのでシートの先端を見つけ出すことは容易になる。さらにシートをロールから剥がすときに使用者はゴミが付着していない折り返された非粘着性裏面５ｂを指で摘むことができるので衛生的である。
【考案の効果】
【００１１】  本考案によって、粘着力の無くなった部分を切除しようとする場合、本体に備え付けたカッター部材４を利用してきれいに正確に切除することができる。さらに、粘着シートロール５を手で押さえなくてもカッター部材４が粘着シートロール５の回転も止めるので粘着力の強い部分を手で持つ必要がない。【００１２】  さらに本考案では、カッター操作ボタン２を押してカッター部材４を粘着シートロール５の表面に押し付けて切除した後、カッター操作レバー３を持ち手側に引いてカッター部材４を粘着シートロール５から引き離すとカッター部材４の先端に粘着シート先端部５ａが１ｃｍ程度付着した状態で粘着シートロール５から離れる。次に再度カッター操作ボタン２を押してカッター部材４を粘着シートロール５表面に押し付けると１ｃｍ程度シートの先端部５ａが折り返されて折り返された非粘着性裏面５ｂが現れる。【００１３】  粘着シート先端部５ａを折り返して指で端々までなぞると、折り返された非粘着性裏面５ｂは粘着面同士が接触するので固定される。したがって、折り返された非粘着性裏面５ｂを除いてゴミ等が付着する。【００１４】  折り返された非粘着性裏面５ｂにはゴミが付着しない。使用後は他の面にはゴミが付着した状態になるのでシートの先端を見つけ出すことは容易になる。さらにシートをロールから剥がすときに使用者はゴミが付着していない折り返された非粘着性裏面５ｂを指で摘むことができるので衛生的である。【００１５】  また前記本体を使用後に収納できるホルダーを備え付けておけば便利である。
【図面の簡単な説明】
【００１６】
【図１】本考案の粘着式クリーナーの一実施例を示す正面図。
【図２】図１に示されている本考案の粘着式クリーナーの断面図。
【図３】カッター先端に粘着シートが付着した状態を示す。
【図４】カッター先端に付着した粘着シートを折り返す状態を示す。
【図５】折り返した粘着シートを指でなぞる状態を示す。
【図６】折り返された非粘着性裏面が現れた状態を示す。
【符号の説明】
【００１７】１    柄
２    カッター操作ボタン
３    カッター操作レバー
４    カッター部材
５    粘着シートロール
５ａ  粘着シート先端部
５ｂ  折り返された非粘着性裏面
【考案を実施するための形態】
【００１８】  以下、本考案の実施の形態について具体的に説明する。
【００１９】  図１は、本考案に係わる清掃具の実施例である。この清掃具は、円筒状に巻いた粘着シートロール５を備えている。この粘着シートロール５をゴミ等の上で回転させることにより粘着力を利用してゴミ等を取る。その後粘着シートの粘着力が無くなった場合、カッター操作ボタン２を押して切除する部分にカッター部材４を当てて不要となった粘着シートを切除する。
【００２０】  切除後、カッター操作ボタン２を押してカッター部材４を粘着シートロール５の表面に押し付けて切除した後、カッター操作レバー３を持ち手側に引いてカッター部材４を粘着シートロール５から引き離すと図３が示すように、カッター部材４の先端に粘着シート先端部５ａが１ｃｍ程度付着した状態で粘着シートロール５から離れる。次に再度カッター操作ボタン２を押してカッター部材４を粘着シートロール５表面に押し付けると図４が示すように、１ｃｍ程度シートの先端部５ａが折り返されて折り返された非粘着性裏面５ｂが現れる。
【００２１】  粘着シート先端部５ａを図５が示すように、折り返して指で端々までなぞると、折り返された非粘着性裏面５ｂは粘着面同士が接触するので固定される。したがって、図６が示すように折り返された非粘着性裏面５ｂはゴミ等が付着しない。
【産業上の利用可能性】
【００２２】  本考案は、粘着シートロール５を切除するためのカッター部材４を備えたものである。しかも切除後、カッター操作レバー３を持ち手側に引いてカッター部材４を粘着シートロール５から引き離すことで、カッター部材４の先端に粘着シート先端部５ａが１ｃｍ程度付着した状態で粘着シートロール５から離れる。次に再度カッター操作ボタン３を押してカッター部材４を粘着シートロール５表面に押し付けると１ｃｍ程度シートの先端部５ａが折り返されて折り返された非粘着性裏面５ｂが現れるので、次にシートをロールから剥がすときに使用者は汚れていないシートの折り返し非粘着性裏面を手で摘むことができるので衛生的であり床やカーペットの清掃に使用するのに最適である。
【図１】
0003175455.tif 000003
【図２】
0003175455.tif 000004
【図３】
0003175455.tif 000005
【図４】
0003175455.tif 000006
【図５】
0003175455.tif 000007
【図６】
0003175455.tif 000008
【手続補正書】
【提出日】平成23年12月7日(2011.12.7)
【手続補正１】
【補正対象書類名】実用新案登録請求の範囲
【補正対象項目名】全文
【補正方法】変更
【補正の内容】
【実用新案登録請求の範囲】
【請求項１】
カッター機能を備えた粘着式クリーナーであって、前記カッター部材を粘着シートの表面に押し付けて破断した後、カッター部材を粘着シートから離すと、前記カッター部材の先端に粘着シートが付着して前記粘着シートロールから引き離れ、次にカッター部材を再度ロール表面に押し付けるとロールに残ったシートの先端が折り返されて非粘着性の裏面が現れることを特徴とする粘着式クリーナー。
【手続補正２】
【補正対象書類名】明細書
【補正対象項目名】０００６
【補正方法】変更
【補正の内容】
【０００６】  解決するための手段として、粘着シートロール５に対してカッター部材４が当たるように、柄１の先端部にカッター部材４が取り付けられている。またカッター部材４を操作する機能として、押しボタン式のカッター操作ボタン２及びスライドレバー式のカッター操作レバー３が柄１に設けられている。カッター操作ボタン２を押すと粘着シートロール５に対してカッター部材４が当たる構造となっている。またカッター操作レバー３を柄１の持ち手側に引くと粘着シートロール５に対してカッター部材４が離れる構造となっている。つまりゴミ等を粘着除去する作業を行う際は、粘着シートロール５に対してカッター部材４が当たらない様、カッター操作レバー３を柄１の持ち手側に引いた状態で使用する。カッター操作ボタン２は粘着シートを切断する場合のみに使用するものである。
【手続補正書】
【提出日】平成24年2月16日(2012.2.16)
【手続補正１】
【補正対象書類名】実用新案登録請求の範囲
【補正対象項目名】全文
【補正方法】変更
【補正の内容】
【実用新案登録請求の範囲】
【請求項１】
表面を粘着性とし裏面を非粘着性とした粘着シートを巻き取ったローラーが中心軸の回りに回転自在に支持され、前記粘着シートに対して横断するように延びた刃先を具備したカッター部材を有する粘着クリーナー。